【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
オーディオデータ及び複数のオーディオトランスデューサのためのオーディオトランスデューサ位置データを受信するためのレシーバと、
前記オーディオデータから前記複数のオーディオトランスデューサのためのオーディオトランスデューサ駆動信号を生成することにより前記オーディオデータをレンダリングするためのレンダリング部と、
空間距離測定基準に従った前記複数のオーディオトランスデューサのうちのオーディオトランスデューサ間の距離に基づいて、前記複数のオーディオトランスデューサをオーディオトランスデューサクラスタのセットにクラスタ化するためのクラスタ部であって、前記距離は前記オーディオトランスデューサ位置データから決定され、前記クラスタ化は、前の繰り返しのクラスタに対するオーディオトランスデューサの繰り返された包含に基づいて前記オーディオトランスデューサクラスタのセットを生成し、第１のオーディオトランスデューサは、前記オーディオトランスデューサクラスタのセットのうちの第１のクラスタの１又はそれ以上のオーディオトランスデューサに関して距離基準を満たしている前記第１のオーディオトランスデューサに基づいて前記第１のクラスタに含まれる、クラスタ部と、
前記のクラスタ化に基づいて前記のレンダリングを適応させるように構成されたレンダリングコントローラとを有する、オーディオ装置。
【請求項２】
前記レンダリング部は、複数のレンダリングモードに従って前記オーディオデータをレンダリング可能であり、
前記レンダリングコントローラは、異なる共存するオーディオトランスデューサクラスタに対して前記複数のレンダリングモードからレンダリングモードを独立して選択するように構成される、請求項１に記載のオーディオ装置。
【請求項３】
前記レンダリング部は、アレイ処理レンダリングを実行可能であり、
前記レンダリングコントローラは、基準を満たしている、前記オーディオトランスデューサクラスタのセットのうちの第１のクラスタの特性に基づいて前記第１のクラスタに対してアレイ処理レンダリングを選択するように構成される、請求項２に記載のオーディオ装置。
【請求項４】
前記レンダリング部は、アレイ処理レンダリングを実行するように構成され、
前記レンダリングコントローラは、前記オーディオトランスデューサクラスタのセットのうちの第１のクラスタの特性に基づいて前記第１のクラスタに対して前記アレイ処理レンダリングを適応させるように構成される、請求項１に記載のオーディオ装置。
【請求項５】
前記特性は、前記空間距離測定基準に従う最も近い隣接物である前記第１のクラスタのオーディオトランスデューサ間の最大距離、前記空間距離測定基準に従う前記第１のクラスタのオーディオトランスデューサ間の最大距離、前記第１のクラスタにおけるオーディオトランスデューサの数のうち少なくとも１つである、請求項３又は請求項４に記載のオーディオ装置。
【請求項６】
前記クラスタは、前記オーディオトランスデューサクラスタのセットのうちの第１のクラスタのための特性指標を生成するように構成され、
前記レンダリングコントローラは、前記特性指標に基づいて前記第１のクラスタに対して前記のレンダリングを適応させるように構成される、請求項１に記載のオーディオ装置。
【請求項７】
前記特性指標は、前記空間距離測定基準に従う最も近い隣接物である前記第１のクラスタのオーディオトランスデューサ間の最大距離、及び、前記第１のクラスタの任意の２つのオーディオトランスデューサ間の最大距離のグループから選択される少なくとも１つの特性を示す、請求項６に記載のオーディオ装置。
【請求項８】
前記特性指標は、前記第１のクラスタの１又はそれ以上のオーディオトランスデューサの周波数応答、前記第１のクラスタにおけるオーディオトランスデューサの数、基準位置及びレンダリング環境の幾何学的特性のうち少なくとも１つに対する前記第１のクラスタの向き、及び、前記第１のクラスタの空間サイズのグループから選択される少なくとも１つの特性を示す、請求項６に記載のオーディオ装置。
【請求項９】
前記クラスタ部は、クラスタにおいて前記空間距離測定基準に従って最も近くで隣り合う２つのオーディオトランスデューサが閾値を超える距離を有するという要件の影響下で前記オーディオトランスデューサクラスタのセットを生成するように構成される、請求項１に記載のオーディオ装置。
【請求項１０】
前記クラスタ部は、前記複数のオーディオトランスデューサのうち少なくとも幾つかのオーディオトランスデューサの音響レンダリング特性を示すレンダリングデータを受信し、前記レンダリングデータに基づいて前記複数のオーディオトランスデューサを前記オーディオトランスデューサのセットにクラスタ化するように更に構成される、請求項１に記載のオーディオ装置。
【請求項１１】
前記クラスタ部は、前記レンダリング部により実行され得るレンダリングアルゴリズムの特性を示すレンダリングアルゴリズムデータを受信し、前記レンダリングアルゴリズムデータに基づいて前記複数のオーディオトランスデューサを前記オーディオトランスデューサクラスタのセットにクラスタ化するように更に構成される、請求項１に記載のオーディオ装置。
【請求項１２】
前記空間距離測定基準は、基準位置又は方向に対するオーディオトランスデューサ間の角度差を反映する角距離測定基準である、請求項１に記載のオーディオ装置。
【請求項１３】
オーディオデータ及び複数のオーディオトランスデューサのためのオーディオトランスデューサ位置データを受信するステップと、
前記オーディオデータから前記複数のオーディオトランスデューサのためのオーディオトランスデューサ駆動信号を生成することにより前記オーディオデータをレンダリングするステップと、
前記オーディオトランスデューサ位置データと空間距離測定基準に従う前記複数のオーディオトランスデューサのオーディオトランスデューサ間の距離とに基づいて前記複数のオーディオトランスデューサをオーディオトランスデューサクラスタのセットにクラスタ化するステップであって、前記距離は前記オーディオトランスデューサ位置データから決定され、前記クラスタ化は、前の繰り返しのクラスタに対するオーディオトランスデューサの繰り返された包含に基づいて前記オーディオトランスデューサクラスタのセットを生成し、第１のオーディオトランスデューサは、前記オーディオトランスデューサクラスタのセットのうちの第１のクラスタの１又はそれ以上のオーディオトランスデューサに関して距離基準を満たしている前記第１のオーディオトランスデューサに基づいて前記第１のクラスタに含まれる、ステップと、
前記のクラスタ化に基づいて前記のレンダリングを適合させるステップとを有する、オーディオ処理の方法。
【請求項１４】
オーディオ装置により実行されたときに、前記装置に、
オーディオデータ及び複数のオーディオトランスデューサのためのオーディオトランスデューサ位置データを受信するステップと、
前記オーディオデータから前記複数のオーディオトランスデューサのためのオーディオトランスデューサ駆動信号を生成することにより前記オーディオデータをレンダリングするステップと、
前記オーディオトランスデューサ位置データと空間距離測定基準に従う前記複数のオーディオトランスデューサのオーディオトランスデューサ間の距離とに基づいて前記複数のオーディオトランスデューサをオーディオトランスデューサクラスタのセットにクラスタ化するステップであって、前記距離は前記オーディオトランスデューサ位置データから決定され、前記クラスタ化は、前の繰り返しのクラスタに対するオーディオトランスデューサの繰り返された包含に基づいて前記オーディオトランスデューサクラスタのセットを生成し、第１のオーディオトランスデューサは、前記オーディオトランスデューサクラスタのセットのうちの第１のクラスタの１又はそれ以上のオーディオトランスデューサに関して距離基準を満たしている前記第１のオーディオトランスデューサに基づいて前記第１のクラスタに含まれる、ステップと、
前記のクラスタ化に基づいて前記のレンダリングを適合させるステップと、
を実行させるコンピュータ命令を有する、一時的な伝播する波又は信号ではない、コンピュータ可読記録媒体。